【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
他の通信装置と通信する手段を有する通信装置であって、
当該通信装置の位置情報を取得する位置情報取得手段と、
位置情報と装置の状態を表す状態情報とを対応付けて記憶する記憶手段と、
前記他の通信装置の識別情報を記憶する識別情報記憶手段と、
前記他の通信装置から所定の情報を受信したとき、受信した該他の通信装置の識別情報が前記識別情報記憶手段によって記憶されている識別情報と同じ場合には、前記位置情報取得手段によって取得した位置情報に対応する状態情報であって前記記憶手段に記憶されている状態情報を該他の通信装置へ送信する送信手段とを設けたことを特徴とする通信装置。
【請求項２】
前記状態情報は、前記位置情報取得手段によって取得した位置情報に基づいて算出された移動速度に対応する状態情報であることを特徴とする請求項１に記載の通信装置。
【請求項３】
他の通信装置と通信する手段と、位置情報と装置の状態を表す状態情報とを対応付けて記憶する記憶手段と、前記他の通信装置の識別情報を記憶する識別情報記憶手段とを有する通信装置における通信方法であって、
当該通信装置の位置情報を取得する位置情報取得工程と、
前記他の通信装置から所定の情報を受信したとき、受信した該他の通信装置の識別情報が前記識別情報記憶手段によって記憶されている識別情報と同じ場合には、前記位置情報取得工程によって取得した位置情報に対応する状態情報であって前記記憶手段に記憶されている状態情報を該他の通信装置へ送信する送信工程とを有することを特徴とする通信方法。
【請求項４】
前記状態情報は、前記位置情報取得工程によって取得した位置情報に基づいて算出された移動速度に対応する状態情報であることを特徴とする請求項３に記載の通信方法。
【請求項５】
他の通信装置と通信する手段と、位置情報と装置の状態を表す状態情報とを対応付けて記憶する記憶手段と、前記他の通信装置の識別情報を記憶する識別情報記憶手段とを有する通信装置を制御するコンピュータに、
当該通信装置の位置情報を取得する位置情報取得機能と、
前記他の通信装置から所定の情報を受信したとき、受信した該他の通信装置の識別情報が前記識別情報記憶手段によって記憶されている識別情報と同じ場合には、前記位置情報取得機能によって取得した位置情報に対応する状態情報であって前記記憶手段に記憶されている状態情報を該他の通信装置へ送信する送信機能とを実現させるためのプログラム。
【請求項６】
前記状態情報は、前記位置情報取得工程によって取得した位置情報に基づいて算出された移動速度に対応する状態情報であることを特徴とする請求項５に記載のプログラム。
【手続補正２】
【補正対象書類名】明細書
【補正対象項目名】発明の名称
【補正方法】変更
【補正の内容】
【発明の名称】通信装置，通信方法，プログラム
【手続補正３】
【補正対象書類名】明細書
【補正対象項目名】０００１
【補正方法】変更
【補正の内容】
【０００１】
この発明は、携帯電話、ＰＨＳ（Personal Handyphone System）、移動体通信装置、ＰＤＡ（Personal Digital Assistance）、ゲーム機、ＧＰＳ（Global Positioning System）装置、カーナビ装置、コンピュータ装置（例えばパーソナルコンピュータ）等の通信機能を有する通信装置、その通信装置における通信方法、上記通信装置のコンピュータ（ＣＰＵ）に実行させるプログラムに関する。
【手続補正４】
【補正対象書類名】明細書
【補正対象項目名】０００４
【補正方法】変更
【補正の内容】
【０００４】
この発明は、上記の目的を達成するため、通信装置、その通信装置における通信方法、その通信装置を制御するコンピュータに実行させるプログラムを提供する。
請求項１の発明による通信装置は、他の通信装置と通信する手段を有する通信装置であって、当該通信装置の位置情報を取得する位置情報取得手段と、位置情報と装置の状態を表す状態情報とを対応付けて記憶する記憶手段と、上記他の通信装置の識別情報を記憶する識別情報記憶手段と、上記他の通信装置から所定の情報を受信したとき、受信した該他の通信装置の識別情報が上記識別情報記憶手段によって記憶されている識別情報と同じ場合には、上記位置情報取得手段によって取得した位置情報に対応する状態情報であって上記記憶手段に記憶されている状態情報を該他の通信装置へ送信する送信手段とを設けたことを設けたものである。
【手続補正５】
【補正対象書類名】明細書
【補正対象項目名】０００５
【補正方法】変更
【補正の内容】
【０００５】
請求項２の発明による通信装置は、請求項１の通信装置において、上記状態情報を、上記位置情報取得手段によって取得した位置情報に基づいて算出された移動速度に対応する状態情報としたものである。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
請求項３の発明による通信方法は、他の通信装置と通信する手段と、位置情報と装置の状態を表す状態情報とを対応付けて記憶する記憶手段と、上記他の通信装置の識別情報を記憶する識別情報記憶手段とを有する通信装置における通信方法であって、当該通信装置の位置情報を取得する位置情報取得工程と、上記他の通信装置から所定の情報を受信したとき、受信した該他の通信装置の識別情報が上記識別情報記憶手段によって記憶されている識別情報と同じ場合には、上記位置情報取得工程によって取得した位置情報に対応する状態情報であって上記記憶手段に記憶されている状態情報を該他の通信装置へ送信する送信工程とを有するものである。
請求項４の発明による通信方法は、請求項１の通信方法において、上記状態情報を、上記位置情報取得工程によって取得した位置情報に基づいて算出された移動速度に対応する状態情報としたものである。
【手続補正８】
【補正対象書類名】明細書
【補正対象項目名】０００８
【補正方法】変更
【補正の内容】
【０００８】
請求項５の発明によるプログラムは、他の通信装置と通信する手段と、位置情報と装置の状態を表す状態情報とを対応付けて記憶する記憶手段と、上記他の通信装置の識別情報を記憶する識別情報記憶手段とを有する通信装置を制御するコンピュータに、当該通信装置の位置情報を取得する位置情報取得機能と、上記他の通信装置から所定の情報を受信したとき、受信した該他の通信装置の識別情報が上記識別情報記憶手段によって記憶されている識別情報と同じ場合には、上記位置情報取得機能によって取得した位置情報に対応する状態情報であって上記記憶手段に記憶されている状態情報を該他の通信装置へ送信する送信機能とを実現させるためのプログラムである。
【手続補正９】
【補正対象書類名】明細書
【補正対象項目名】０００９
【補正方法】変更
【補正の内容】
【０００９】
請求項６の発明によるプログラムは、請求項５のプログラムにおいて、上記状態情報を、上記位置情報取得工程によって取得した位置情報に基づいて算出された移動速度に対応する状態情報としたものである。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】変更
【補正の内容】
【００１１】
この発明によれば、通信装置の位置に対応する状態情報を他の通信装置で取得できるので、通信装置の利便性が向上する。
【手続補正１２】
【補正対象書類名】明細書
【補正対象項目名】０２３４
【補正方法】変更
【補正の内容】
【０２３４】
以上の説明から明らかなように、この発明によれば、通信装置の位置に対応する状態情報を他の通信装置で取得できるので、通信装置の利便性が向上する。したがって、利便性の良い通信装置を提供することができる。